(57)【要約】【課題】画像処理の対象となる用紙の搬送を好適に行うことが可能な新たな画像処理装置を提供することを目的とする。【解決手段】用紙幅が幅Ｗ１の第１種用紙５２と、幅Ｗ１より狭い第２幅の第２種用紙とを含む用紙を搬送し、搬送された用紙を対象として所定の画像処理を行う画像処理装置であって、第１ガイド４２と第２ガイド４４とを有する。第１ガイド４２は、搬送される第１種用紙５２の両側辺をそれぞれガイドする。第２ガイド４４は、搬送される第２種用紙の両側辺をそれぞれガイドする。第２ガイド４４は、第１種用紙５２が第２ガイド４４を通過できる位置に退避可能な状態で支持される。第２ガイド４４は、第１種用紙５２が搬送され、第１種用紙５２が第２ガイド４４に接触している場合、第１種用紙５２が第２ガイド４４に接触することで第２ガイド４４に作用する力によって、第１種用紙５２が第２ガイド４４を通過できる位置に退避する。【選択図】図３
2011195324.tif 000002
【特許請求の範囲】
【請求項１】
用紙幅が第１幅である第１種用紙と、用紙幅が第１幅より狭い第２幅である第２種用紙とを含む用紙を搬送し、搬送された前記用紙を対象として所定の画像処理を行う画像処理装置であって、
前記用紙を収容する給紙トレイと、
前記給紙トレイに収容された前記用紙を、回転しながら搬送する給紙ローラと、
前記給紙ローラによって搬送される前記用紙を対象として所定の画像処理を実行する画像処理部と、
前記第１幅に対応し、前記給紙トレイに前記第１種用紙が収容され、前記給紙ローラによって前記第１種用紙が搬送路内を搬送される場合、前記第１種用紙の前記第１幅に対応する位置に配置され、前記第１種用紙の両側辺をそれぞれガイドする第１ガイドと、
前記第２幅に対応し、前記給紙トレイに前記第２種用紙が収容され、前記給紙ローラによって前記第２種用紙が搬送路内を搬送される場合、前記第２種用紙の前記第２幅に対応する位置に配置され、前記第２種用紙の両側辺をそれぞれガイドする第２ガイドとを有し、
前記第２ガイドは、前記第１種用紙が前記第２ガイドを通過できる位置に退避可能な状態で支持され、前記給紙ローラによって前記第１種用紙が搬送され、前記第１種用紙が前記第２ガイドに接触している場合、前記第１種用紙が前記第２ガイドに接触することで前記第２ガイドに作用する力によって、前記第１種用紙が前記第２ガイドを通過できる位置に退避することを特徴とする画像処理装置。
【請求項２】
前記給紙トレイに設けられ、前記給紙トレイに収容された前記用紙の両側辺をガイドし、前記給紙トレイから搬送される前記用紙の用紙幅に応じて可動する第３ガイドを有することを特徴とする請求項１に記載の画像処理装置。
【請求項３】
前記第１ガイドと前記第２ガイドとは、前記給紙ローラより前記用紙の搬送方向の下流側で、かつ前記画像処理部より前記用紙の搬送方向の上流側に配置されていることを特徴とする請求項１または請求項２に記載の画像処理装置。
【請求項４】
前記第２ガイドは、回動可能に支持され、前記給紙ローラによって前記第１種用紙が搬送され、前記第１種用紙が前記第２ガイドに接触している場合、回動して、前記第１種用紙が前記第２ガイドを通過できる位置に退避することを特徴とする請求項１から請求項３のいずれか１項に記載の画像処理装置。
【請求項５】
前記第２ガイドは、搬送路内を搬送される前記用紙の上面側の上方で、回動可能に支持され、前記給紙ローラによって前記第１種用紙が搬送され、前記第１種用紙が前記第２ガイドに接触している場合、前記第１種用紙の上面側の上方に向けて回動して、前記第１種用紙が前記第２ガイドを通過できる位置に退避することを特徴とする請求項４に記載の画像処理装置。
【請求項６】
前記第２ガイドは、搬送路内を搬送される前記用紙の上面側の上方に設置され、前記給紙ローラによって前記第１種用紙が搬送され、前記第１種用紙が前記第２ガイドに接触している場合、前記第１種用紙の上面側の上方に移動して、前記第１種用紙が前記第２ガイドを通過できる位置に退避することを特徴とする請求項１から請求項３のいずれか１項に記載の画像処理装置。
【請求項７】
前記画像処理部は、ＣＩＳセンサを含み、スキャン処理を実行することを特徴とする請求項１から請求項６のいずれか１項に記載の画像処理装置。
【請求項８】
前記第２ガイドの退避によって、前記第１種用紙の搬送を検出する検出センサを有することを特徴とする請求項１から請求項７のいずれか１項に記載の画像処理装置。
【発明の詳細な説明】
【技術分野】
【０００１】
本発明は、用紙を搬送し、搬送された用紙を対象として所定の画像処理を実行する画像処理装置に関するものである。
【背景技術】
【０００２】
給紙装置に関する提案がなされている（例えば、特許文献１参照）。特許文献１の給紙装置は、２個のサイドガイドと駆動軸とシート繰出し用ローラと２個の蛇腹とを備える。各サイドガイドは、給紙トレイ上に、シート繰出し方向と直交する方向に移動する。駆動軸は、そのサイドガイドを横切って設けられる。シート繰出し用ローラは、駆動軸と一体に回転し、駆動軸上をスライドする。各蛇腹は、コイルばねを有し、繰出しローラと各サイドガイドとの間にそれぞれ設けられている。各蛇腹のコイルばねは、ばね定数が等しくされている。特許文献１の給紙装置では、異なるサイズのシートに変更するとき、各サイドガイドはシートの繰出し方向と直交する方向に移動され、そのシートサイズごとの所定位置にされる。シート繰出し用ローラは、蛇腹の弾性力が釣り合う両サイドの中央位置で駆動軸上に保持される。
【先行技術文献】
【特許文献】
【０００３】
【特許文献１】特開平６−９２４７６号公報
【発明の概要】
【発明が解決しようとする課題】
【０００４】
ところで、特許文献１のような給紙装置は、例えば給紙された用紙を対象として所定の画像処理を実行する画像処理装置に適用される。特許文献１のような構成は、その構造上、所定の大きさを有する。画像処理装置では、例えば画像処理を行う画像処理部に用紙を給紙する給紙ローラより用紙の搬送方向の上流側に、所定のスペースが確保されている。したがって、特許文献１の構成は、このような場所には適用可能である。しかし、画像処理装置では、給紙ローラより搬送方向の下流側では、搬送される用紙と画像処理部とを近接して配置する必要がある。そのため、所定のスペースが確保できないこのような場所では、特許文献１のような構成を採用することが困難となる。すなわち、特許文献１のような構成は、画像処理装置のいずれの場所においても採用可能な柔軟性のある構成ではなかった。したがって、特許文献１のような構成によっては、例えば用紙の斜行を防止し、好適な用紙の搬送を行うことができない場合があった。
【０００５】
本発明は、画像処理の対象となる用紙の搬送を好適に行うことが可能な新たな画像処理装置を提供することを目的とする。
【課題を解決するための手段】
【０００６】
上記従来の課題に鑑みなされた本発明の一側面は、用紙幅が第１幅である第１種用紙と、用紙幅が第１幅より狭い第２幅である第２種用紙とを含む用紙を搬送し、搬送された前記用紙を対象として所定の画像処理を行う画像処理装置であって、前記用紙を収容する給紙トレイと、前記給紙トレイに収容された前記用紙を、回転しながら搬送する給紙ローラと、前記給紙ローラによって搬送される前記用紙を対象として所定の画像処理を実行する画像処理部と、前記第１幅に対応し、前記給紙トレイに前記第１種用紙が収容され、前記給紙ローラによって前記第１種用紙が搬送路内を搬送される場合、前記第１種用紙の前記第１幅に対応する位置に配置され、前記第１種用紙の両側辺をそれぞれガイドする第１ガイドと、前記第２幅に対応し、前記給紙トレイに前記第２種用紙が収容され、前記給紙ローラによって前記第２種用紙が搬送路内を搬送される場合、前記第２種用紙の前記第２幅に対応する位置に配置され、前記第２種用紙の両側辺をそれぞれガイドする第２ガイドとを有し、前記第２ガイドは、前記第１種用紙が前記第２ガイドを通過できる位置に退避可能な状態で支持され、前記給紙ローラによって前記第１種用紙が搬送され、前記第１種用紙が前記第２ガイドに接触している場合、前記第１種用紙が前記第２ガイドに接触することで前記第２ガイドに作用する力によって、前記第１種用紙が前記第２ガイドを通過できる位置に退避することを特徴とする画像処理装置である。これによれば、複数の用紙サイズに対応することができる用紙のガイド機構を小型化することができる。
【０００７】
この画像処理装置は、次のような構成とすることもできる。すなわち、前記給紙トレイに設けられ、前記給紙トレイに収容された前記用紙の両側辺をガイドし、前記給紙トレイから搬送される前記用紙の用紙幅に応じて可動する第３ガイドを有することを特徴としてもよい。これによれば、給紙トレイから搬送される用紙の両側辺を好適にガイドすることができる。そして、搬送される用紙が斜行することを、第１ガイドまたは第２ガイドと、第３ガイドとで精度よく防止することができる。
【０００８】
また、前記第１ガイドと前記第２ガイドとは、前記給紙ローラより前記用紙の搬送方向の下流側で、かつ前記画像処理部より前記用紙の搬送方向の上流側に配置されていることを特徴としてもよい。これによれば、給紙ローラより用紙の搬送方向の下流側で、画像処理部より用紙の搬送方向の上流側での領域において、搬送される用紙の両側辺を好適にガイドすることができる。
【０００９】
また、前記第２ガイドは、回動可能に支持され、前記給紙ローラによって前記第１種用紙が搬送され、前記第１種用紙が前記第２ガイドに接触している場合、回動して、前記第１種用紙が前記第２ガイドを通過できる位置に退避することを特徴としてもよい。これによれば、好適に第２ガイドを、第１種用紙が第２ガイドを通過できる位置に退避させることができる。
【００１０】
また、前記第２ガイドは、搬送路内を搬送される前記用紙の上面側の上方で、回動可能に支持され、前記給紙ローラによって前記第１種用紙が搬送され、前記第１種用紙が前記第２ガイドに接触している場合、前記第１種用紙の上面側の上方に向けて回動して、前記第１種用紙が前記第２ガイドを通過できる位置に退避することを特徴としてもよい。
【００１１】
これによれば、第１種用紙の上面側の上方に、第２ガイドを退避させることができる。なお、第１種用紙の上面とは、搬送されている状態にある第１種用紙の面のうち、鉛直方向で上側となっている一方の面をいう。
【００１２】
また、前記第２ガイドは、搬送路内を搬送される前記用紙の上面側の上方に設置され、前記給紙ローラによって前記第１種用紙が搬送され、前記第１種用紙が前記第２ガイドに接触している場合、前記第１種用紙の上面側の上方に移動して、前記第１種用紙が前記第２ガイドを通過できる位置に退避することを特徴としてもよい。これによれば、第１種用紙の上面側の上方に、第２ガイドを退避させることができる。なお、第１種用紙の上面については、上記のとおりである。
【００１３】
また、前記画像処理部は、ＣＩＳセンサを含み、スキャン処理を実行することを特徴としてもよい。これによれば、搬送される用紙を好適にガイドしつつ、ＣＩＳセンサと用紙とを近接した状態とすることができる。
【００１４】
また、前記第２ガイドの退避によって、前記第１種用紙の搬送を検出する検出センサを有することを特徴としてもよい。これによれば、搬送を検出するために、検出センサによって検出される特別の構成を別途設けなくてもよい。すなわち、画像処理装置の構成をシンプルにすることができる。
【発明の効果】
【００１５】
本発明によれば、画像処理の対象となる用紙の搬送を好適に行うことが可能な新たな画像処理装置を得ることができる。
【図面の簡単な説明】
【００１６】
【図１】スキャナ装置の外観を示す図である。
【図２】（ａ）は、図１のＡ−Ａ断面図であってスキャナ装置の内部構成の概略を示す図であり、（ｂ）は、図２（ａ）のＭ部拡大図である。
【図３】第１幅の第１種用紙が給紙ローラと画像処理部との間の搬送路を搬送されている際の第１ガイドおよび第２ガイドの状態を示す図である。
【図４】第１幅より狭い第２幅の第２種用紙が給紙ローラと画像処理部との間の搬送路を搬送されている際の第１ガイドおよび第２ガイドの状態を示す図である。
【図５】第１幅より広い第３幅の第３種用紙が給紙ローラと画像処理部との間の搬送路を搬送されている際の第１ガイドおよび第２ガイドの状態を示す図である。
【図６】（ａ）および（ｂ）は、搬送される用紙を幅方向においてガイドする機構について他の構成を示す図である。
【図７】（ａ）および（ｂ）は、搬送される用紙を幅方向においてガイドする機構についてさらに他の構成を示す図である。
【図８】（ａ）および（ｂ）は、搬送される用紙を幅方向においてガイドする機構についてさらに他の構成を示す図である。
【発明を実施するための形態】
【００１７】
本発明を実施するための実施形態について、図面を用いて以下に詳細に説明する。本発明は、以下に記載の構成に限定されるものではなく、同一の技術的思想において種々の構成を採用することができる。例えば、以下に示す構成の一部は、省略しまたは他の構成などに置換してもよい。また、他の構成を含むようにしてもよい。なお、以下では、本発明に係る画像処理装置として、スキャナ装置１０を例に説明する。
【００１８】
＜スキャナ装置１０の外観説明＞
スキャナ装置１０は、図１に示すような外観を有する。図１に示すように、スキャナ装置１０は、給紙トレイ１２と、排紙トレイ３２とを備える。給紙トレイ１２には、スキャン処理の対象の用紙５０がセットされる。例えば、給紙トレイ１２には、図２（ａ）に示すようにスキャン処理の対象の用紙５０が複数枚収容される。スキャナ装置１０においてスキャン処理の対象となる用紙５０の種類は、例えば、第１幅（以下、「幅Ｗ１」ともいう。）の第１種用紙５２と、第２幅（以下、「幅Ｗ２」ともいう。）の第２種用紙５４と、第３幅（以下、「幅Ｗ３」ともいう。）の第３種用紙５６とである。ここで、幅Ｗ１と幅Ｗ２と幅Ｗ３が指す幅は、スキャナ装置１０でスキャン処理の対象の用紙５０が搬送される方向に対して垂直な方向の用紙サイズを指す。幅Ｗ１と幅Ｗ２と幅Ｗ３との関係は、「幅Ｗ３＞幅Ｗ１＞幅Ｗ２」である。例えば、第１種用紙５２はＡ４サイズの用紙（幅Ｗ１：２１０ｍｍ）で、第２種用紙５４は葉書（幅Ｗ２：１００ｍｍ）で、第３種用紙５６はＡ３サイズの用紙（幅Ｗ３：２９７ｍｍ）である。なお、第１種用紙５２と第２種用紙５４と第３種用紙５６とを区別しない場合には、単に「用紙５０」と記載する。
【００１９】
給紙トレイ１２は、図１に示すように第３ガイド１３を備える。第３ガイド１３は、用紙５０の幅に応じて可動される一対の第３ガイド板１３２，１３４によって構成されている。第３ガイド板１３２，１３４が給紙トレイ１２に収容された用紙５０の幅に対応した位置に移動されることで、第３ガイド１３は、給紙トレイ１２にセットされた用紙５０の両側辺をガイドする。これによって、後述する給紙ローラ２０側に、用紙５０が斜行することなく、搬送することができる。なお、第３ガイド１３は、従来から採用されている構成である。排紙トレイ３２は、スキャナ装置１０内を搬送され、読み取られ、所定のローラにより排紙された用紙５０を受ける。
【００２０】
＜スキャナ装置１０の内部説明＞
そして、スキャナ装置１０は、その内部に図２（ａ）のような各構成を有する。スキャナ装置１０は、例えば、分離ローラ１４と、分離片１６と、分離付勢部１８と、給紙ローラ２０と、画像処理部２２，２４と、排紙ローラ２６と、ピンチローラ２８，３０とを有する。また、スキャナ装置１０には搬送路４０が形成されている。さらに、スキャナ装置１０は、第１ガイド４２と、第２ガイド４４と、支持軸４６と、検出センサ４８とを有する。
【００２１】
分離ローラ１４は、給紙トレイ１２に収容された用紙５０から、分離ローラ１４の外周面に接した搬送対象の用紙５０を分離し、給紙ローラ２０側に搬送する。分離ローラ１４の外周面は、シリコンゴムなどのゴムなどによって形成されている。分離ローラ１４は、給紙トレイ１２の幅方向の中心部で、用紙５０が搬送される搬送方向の下流側となる給紙トレイ１２の端部側に設置されている。分離ローラ１４は、搬送される用紙５０の下面側の位置で、分離ローラ１４の外周面の一部が給紙トレイ１２の用紙５０が収容される面から突出するように設置されている。したがって、分離ローラ１４の外周面は、搬送される用紙５０の下面に接する。なお、用紙５０の下面とは、搬送状態にある用紙５０の面のうち、鉛直方向で下側となる他方の面である。分離ローラ１４は、回転軸６０に支持される。回転軸６０はモータなどの回転駆動機構に連結されている。回転駆動機構が駆動しこれにともない回転軸６０が回転すると、分離ローラ１４も回転する。分離ローラ１４の回転方向によって用紙５０の搬送方向が決定付けられる。スキャナ装置１０で用紙５０の搬送方向は、給紙トレイ１２側から排紙トレイ３２側であるため、分離ローラ１４は、反時計回りに回転する。分離ローラ１４が回転すると、分離ローラ１４の外周面に接した用紙５０の搬送が開始される。なお、図２（ａ）の分離ローラ１４内に記載の矢印は、分離ローラ１４の回転方向を示すものである。
【００２２】
分離片１６は、分離ローラ１４によって分離され搬送される用紙５０に付着した他の用紙５０以降の用紙５０を、分離ローラ１４によって分離されて搬送される一枚の用紙５０から分離する。分離片１６は、ゴムなどの弾性部材によって形成されている。分離片１６は、搬送される用紙５０の上面側の位置で、分離ローラ１４の外周面に対向して設置されている。なお、用紙５０の上面とは、搬送状態にある用紙５０の面のうち、鉛直方向で上側となる一方の面である。分離片１６は、その先端部が分離ローラ１４の外周面に押圧された状態で設置されている。
【００２３】
分離付勢部１８は、分離片１６を分離ローラ１４の外周面側に付勢する。分離付勢部１８は、コイルばねなどの弾性部材によって形成されている。分離付勢部１８は、分離ローラ１４の外周面に押圧されている分離片１６の先端部とは反対側の後端部の側で、圧縮された状態で設置されている。このような状態で設置された分離付勢部１８は、分離片１６を分離ローラ１４の外周面側に付勢する。そして、分離付勢部１８によって付勢された分離片１６は、前述のとおり先端部が分離ローラ１４の外周面に押圧された状態となる。
【００２４】
分離ローラ１４と、分離付勢部１８によって分離ローラ１４の外周面側に付勢された分離片１６とによって、スキャナ装置１０内を搬送される一枚の用紙５０は分離される。分離された一枚の用紙５０は、分離ローラ１４と分離片１６との間を通過する。そして、分離された一枚の用紙５０は、上述したとおり分離ローラ１４の回転によって決定付けられる搬送方向、具体的には給紙ローラ２０側に搬送される。
【００２５】
給紙ローラ２０は、用紙５０を画像処理部２２，２４側に搬送する。給紙ローラ２０によって搬送される用紙５０は、分離ローラ１４によって分離され搬送されてきた一枚の用紙である。給紙ローラ２０は、搬送される用紙５０の下面側に設置されている。給紙ローラ２０は、回転軸６２に支持される。回転軸６２はモータなどの回転駆動機構に連結されている。回転駆動機構が駆動しこれにともない回転軸６２が回転すると、給紙ローラ２０も回転する。給紙ローラ２０の回転方向は、給紙ローラ２０と同じく、搬送される用紙５０の下面側に設置されている分離ローラ１４の回転方向と同一である。ピンチローラ２８は、搬送される用紙５０の上面側に設置されている。つまり、ピンチローラ２８は、給紙ローラ２０に対向して設置されている。ピンチローラ２８は、回転軸６４に支持され、給紙ローラ２０に従動して回転する。ピンチローラ２８の回転方向は、給紙ローラ２０と逆回転で、時計回りに回転する。給紙ローラ２０とピンチローラ２８とは、分離ローラ１４によって分離され搬送されてきた一枚の用紙５０を挟持して搬送方向、すなわち画像処理部２２，２４側に搬送する。なお、図２（ａ），（ｂ）の給紙ローラ２０およびピンチローラ２８内に記載の矢印は、給紙ローラ２０およびピンチローラ２８の回転方向を示すものである。
【００２６】
画像処理部２２，２４は、搬送されてきた用紙５０に記録されている画像を読み取る。画像処理部２２，２４は、例えばＣＩＳ（Contact Image Sensor）を含む。なお、ＣＣＤ（Charged Coupled Device）としてもよい。画像処理部２２は、搬送される用紙５０の上面側に設けられ、この上面、例えば表面を読み取る。画像処理部２４は搬送される用紙５０の下面側に設けられ、この下面、例えば裏面を読み取る。スキャナ装置１０では、画像処理部２２，２４によって両面読取機能が実現される。
【００２７】
排紙ローラ２６は、画像処理部２２，２４を通過して搬送されてきた一枚の用紙５０を、搬送方向の下流側に搬送する。つまり、排紙ローラ２６は、搬送されてきた用紙５０を、搬送方向の下流側に設置されている排紙トレイ３２に搬送する。排紙ローラ２６は、搬送される用紙５０の下面側に設置されている。排紙ローラ２６は、回転軸６６に支持される。回転軸６６モータなどの回転駆動機構に連結されている。回転駆動機構が駆動しこれにともない回転軸６６が回転すると、排紙ローラ２６も回転する。排紙ローラ２６の回転方向は、排紙ローラ２６と同じく、搬送される用紙５０の下面側に設置されている分離ローラ１４および給紙ローラ２０の回転方向と同一である。ピンチローラ３０は、搬送される用紙５０の上面側に設置されている。つまり、ピンチローラ３０は、排紙ローラ２６に対向して設置されている。ピンチローラ３０は、回転軸６８に支持され、排紙ローラ２６に従動して回転する。ピンチローラ３０の回転方向は、排紙ローラ２６と逆回転で、時計回りに回転する。排紙ローラ２６とピンチローラ３０とは、画像処理部２２，２４を通過して搬送されてきた一枚の用紙５０を挟持して搬送方向、すなわち排紙トレイ３２側に搬送する。なお、図２（ａ）の排紙ローラ２６およびピンチローラ３０内に記載の矢印は、排紙ローラ２６およびピンチローラ３０の回転方向を示すものである。
【００２８】
排紙トレイ３２は、排紙ローラ２６とピンチローラ３０とによって搬送され、排紙された用紙５０を受ける。すなわち、排紙ローラ２６とピンチローラ３０とによって搬送された用紙５０は、排紙トレイ３２に排紙される。これによって用紙５０の読取動作が終了する。給紙トレイ１２に複数枚の用紙５０が収容されている場合、分離ローラ１４と分離片１６などによって既に搬送された用紙５０とは異なる用紙５０が順次連続して搬送される。順次搬送される用紙５０に記録された画像が読み取られる。そして、順次、排紙トレイ３２に排出される。排出された用紙５０は、排紙トレイ３２に積層される。なお、図１に示すスキャナ装置１０は、排紙トレイ３２が収納された状態にある。スキャナ装置１０において、上述した読取動作が実行される場合、排紙トレイ３２は、図１に示す「引出方向」に引き出され、伸長した状態で利用される。
【００２９】
搬送路４０は、給紙トレイ１２から排紙トレイ３２との間に形成された空間である。搬送路４０を形成する空間は、図２（ｂ）に示すように、搬送される用紙５０の上面に対向する第１搬送路面７０と、用紙５０の下面側に対向する第２搬送路面７２とによって形成されている。そして、搬送路４０を形成する空間は、後述する第１ガイド４２と第２ガイド４４とによって仕切られていない状態で、幅Ｗ３の第３種用紙５６が通過できる程度に用紙５０の幅方向に広がった空間である。第１搬送路面７０は、スキャナ装置１０を構成する筐体の一部の領域である第１壁７４を形成する一つの面である。第２搬送路面７２は、スキャナ装置１０を構成する筐体の一部の領域である第２壁７６を形成する一つの面である。第１壁７４には、２個の切欠き７４２と、２個の切欠き７４４とが形成されている。第２壁７６には、２個の切欠き７６２と、２個の切欠き７６４とが形成されている。切欠き７４２，７４４，７６２，７６４については、後述する。
【００３０】
搬送路４０には、上述のように搬送される用紙５０が通過していく。この際、用紙５０は、搬送方向に垂直な用紙５０の幅方向において、第１ガイド４２または第２ガイド４４などによってガイドされる。第１ガイド４２と第２ガイド４４とは、図２（ａ），（ｂ）に示すように、給紙ローラ２０より用紙５０の搬送方向の下流側で、かつ画像処理部２２，２４より用紙５０の搬送方向の上流側に配置されている。検出センサ４８は、第１ガイド４２および第２ガイド４４の退避を検出する。検出センサ４８の動作の詳細については、後述する。
【００３１】
＜スキャナ装置１０の第１ガイド４２および第２ガイド４４の動作について＞
図２（ａ），（ｂ）に示す第１ガイド４２と第２ガイド４４とについて、図３〜図５を参照して説明する。第１ガイド４２は、例えば図３に示すように、一対の第１ガイド板４２２，４２４によって構成されている。第１ガイド板４２２，４２４は、Ｌ字状の形状を有する。第１ガイド板４２２，４２４には、貫通孔が形成されている。貫通孔には、支持軸４６が挿入される。貫通孔は、給紙ローラ２０によって用紙５０が搬送されてくるとき、搬送方向において搬送される用紙５０の先頭部に接触する部分であるＬ字形状の端部（図５に示す「Ｐ部」参照）と反対側の端部に形成されている。第１ガイド４２は、第１ガイド板４２２，４２４に形成された貫通孔を介して、支持軸４６に支持される。支持軸４６に支持された状態で、第１ガイド板４２２，４２４が対向する間に形成される幅Ｗ１’は、第１種用紙５２の幅Ｗ１に対応する。ここで、幅Ｗ１’は、幅Ｗ１と略同一である。
【００３２】
第１壁７４に形成された２個の切欠き７４２は、第１壁７４を第１搬送路面７０から、その反対側の面側に貫通して形成されている。第２壁７６に形成された２個の切欠き７６２は、第２壁７６を第２搬送路面７２からその反対側の面側に貫通して形成されている。また、２個の切欠き７４２は、搬送される用紙５０の幅方向において、第１ガイド板４２２，４２４の対向する二面間の間隔が幅Ｗ１’となるような位置にそれぞれ形成されている。同じく、２個の切欠き７６２は、搬送される用紙５０の幅方向において、第１ガイド板４２２，４２４の対向する二面間の間隔が幅Ｗ１’となるような位置にそれぞれ形成されている。第１ガイド板４２２，４２４は、二面間の幅が幅Ｗ１’となるようにして第１壁７４に形成された２個の切欠き７４２と、第２壁７６とに形成された２個の切欠き７６２に、すき間嵌めされた状態で設置されている。なお、第１ガイド板４２２が嵌り合う切欠き７６２は、第１ガイド板４２２に対応する位置に配置されており、図３では、第１種用紙５２に隠れている。そのため、図３では、その図示を省略している。
【００３３】
第１ガイド板４２２，４２４は、搬送路４０を幅Ｗ１’の空間に仕切る。すなわち、第１ガイド板４２２，４２４が設置された部分では、第１ガイド板４２２，４２４において幅Ｗ１’を隔てて対向する二面と、第１搬送路面７０と第２搬送路面７２とによって、幅Ｗ１’の搬送路４０が形成される。したがって、第１ガイド４２は、給紙トレイ１２に第１種用紙５２が収容され、給紙ローラ２０によって第１種用紙５２が搬送路４０内を搬送される場合、第１種用紙５２の幅Ｗ１方向の両側辺それぞれを、第１ガイド板４２２，４２４でガイドすることができる。なお、図３は、搬送路４０における第１搬送路面７０を一つの面とする第１壁７４を透過させた状態で図示している。
【００３４】
第２ガイド４４は、例えば図４に示すように、一対の第２ガイド板４４２，４４４によって構成されている。第２ガイド板４４２，４４４は、Ｌ字状の形状を有する。第２ガイド板４４２，４４４には、貫通孔が形成されている。貫通孔には、支持軸４６が挿入される。貫通孔は、給紙ローラ２０によって用紙５０が搬送されてくるとき、搬送方向において搬送される用紙５０の先頭部に接触する部分であるＬ字形状の端部（図３および図５に示す「Ｎ部」参照）と反対側の端部に形成されている。第２ガイド４４は、第２ガイド板４４２，４４４に形成された貫通孔を介して、支持軸４６に支持される。支持軸４６に支持された状態で、第２ガイド板４４２，４４４が対向する間に形成される幅Ｗ２’は、第２種用紙５４の幅Ｗ２に対応する。ここで、幅Ｗ２’は、幅Ｗ２と略同一である。
【００３５】
第１壁７４に形成された２個の切欠き７４４は、第１壁７４を第１搬送路面７０からその反対側の面側に貫通して形成されている。第２壁７６に形成された２個の切欠き７６４は、第２壁７６を第２搬送路面７２からその反対側の面側に貫通して形成されている。また、２個の切欠き７４４は、搬送される用紙５０の幅方向において、第２ガイド板４４２，４４４の対向する二面間の間隔が幅Ｗ２’となるような位置にそれぞれ形成されている。同じく、２個の切欠き７６４は、搬送される用紙５０の幅方向において、第２ガイド板４４２，４４４の対向する二面間の間隔が幅Ｗ２’となるような位置にそれぞれ形成されている。第２ガイド板４４２，４４４は、二面間の幅が幅Ｗ２’となるようにして第１壁７４に形成された２個の切欠き７４４と、第２壁７６とに形成された２個の切欠き７６４とに、すき間嵌めされた状態で設置されている。なお、図４では、第２ガイド板４４２に対応する切欠き７６４は、搬送されている第２種用紙５４で隠れた位置に配置されている。そのため、図４では、その図示を省略している。
【００３６】
第２ガイド板４４２，４４４は、搬送路４０を幅Ｗ２’の空間に仕切る。すなわち、第２ガイド板４４２，４４４が設置された部分では、第２ガイド板４４２，４４４において幅Ｗ２’を隔てて対向する二面と、第１搬送路面７０と、第２搬送路面７２とによって、幅Ｗ２’の搬送路４０が形成される。したがって、第２ガイド４４は、給紙トレイ１２に第２種用紙５４が収容され、給紙ローラ２０によって第２種用紙５４が搬送路４０内を搬送される場合、第２種用紙５４の幅Ｗ２方向の両側辺それぞれを、第２ガイド板４４２，４４４でガイドすることができる。なお、図４は、搬送路４０における第１搬送路面７０を一つの面とする第１壁７４を透過させた状態で図示している。
【００３７】
支持軸４６に支持された状態で、第２ガイド板４４２，４４４は、用紙５０の幅方向において、第１ガイド板４２２，４２４の間に配置されている。第２ガイド板４４２，４４４は、図４に示す搬送方向の直線Ｌに対して対称に配置されている。直線Ｌは、第１ガイド板４２２，４２４の対向する二面間の幅Ｗ１’の中心位置をとおる搬送方向の直線である。したがって、第１種用紙５２が搬送されるときの第１種用紙５２の幅Ｗ１方向の中心と、第２種用紙５４が搬送されるときの第２種用紙５４の幅Ｗ２方向の中心とは、一致する。すなわち、スキャナ装置１０では、図３および図４に示しように、第１種用紙５２と第２種用紙５４とはそれぞれ幅方向の中心が直線Ｌに一致した状態で搬送される。なお、図５に示すように第３種用紙５６についても、幅Ｗ３の中心が直線Ｌに一致した状態で搬送される。
【００３８】
支持軸４６は、第１ガイド板４２２，４２４に形成された貫通孔と、第２ガイド板４４２，４４４に形成された貫通孔とに挿入される。このようにして支持軸４６は、第１ガイド板４２２，４２４と第２ガイド板４４２，４４４とを支持する。支持軸４６は、搬送される用紙５０の搬送方向の垂直上面側であって、第１壁７４の第１搬送路面７０と反対側の面側に設置されている。支持軸４６に第１ガイド板４２２，４２４と第２ガイド板４４２，４４４とが支持された状態で、第１ガイド板４２２，４２４と第２ガイド板４４２，４４４とは、支持軸４６を中心として回動することができる。具体的に、第１ガイド板４２２，４２４と第２ガイド板４４２，４４４とは、搬送される用紙５０の搬送方向の垂直上面側の上方に向けて、支持軸４６を中心として回動することができる。第１ガイド板４２２，４２４および第２ガイド板４４２，４４４は、第１ガイド板４２２，４２４および第２ガイド板４４２，４４４それぞれの自重により、支持軸４６を中心として、図４に示す位置に配置される。具体的には、第１ガイド板４２２，４２４および第２ガイド板４４２，４４４それぞれの自重により、第１ガイド板４２２，４２４および第２ガイド板４４２，４４４には、搬送方向の垂直下面側に力が加わる。自重により加わる力により、第１ガイド板４２２，４２４は、搬送方向の垂直下面側に回動し、第１ガイド板４２２，４２４は、切欠き７６２にそれぞれ嵌り合う。同様に、自重により加わる力により、第２ガイド板４４２，４４４は、搬送方向の垂直下面側に回動し、第２ガイド板４４２，４４４は、切欠き７６４にそれぞれ嵌り合う。第１ガイド板４２２，４２４および第２ガイド板４４２，４４４の退避位置への回動については、後述する。
【００３９】
第３ガイド板１３２，１３４が第２種用紙５４の幅Ｗ２にセットされ、第２種用紙５４が第３ガイド１３にガイドされた状態で給紙トレイ１２に収容されているとする。この状態で、分離ローラ１４と分離片１６とによって一枚の第２種用紙５４が分離されると、一枚の第２種用紙５４は、その両側辺が第３ガイド１３によってガイドされた状態で、搬送方向に対して斜行することなく、給紙ローラ２０側に搬送される。このとき、第１ガイド板４２２，４２４と第２ガイド板４４２，４４４とは、図４に示す状態となる。この状態では、上述したとおり、第２ガイド板４４２，４４４は、第２種用紙５４の幅Ｗ２方向の両側辺をガイドする。これによって、搬送される第２種用紙５４が搬送方向に対して斜行することを、引き続き防止することができる。
【００４０】
また、第３ガイド板１３２，１３４が第１種用紙５２の幅Ｗ１にセットされ、第１種用紙５２が第３ガイド１３にガイドされた状態で給紙トレイ１２に収容されているとする。この状態で、分離ローラ１４と分離片１６とによって一枚の第１種用紙５２が分離されると、一枚の第１種用紙５２は、その両側辺が第３ガイド１３によってガイドされた状態で、搬送方向に対して斜行することなく、給紙ローラ２０側に搬送される。このとき、第１ガイド板４２２，４２４と第２ガイド板４４２，４４４とは、図３に示す状態となる。第１種用紙５２の幅Ｗ１の範囲内に配置されている第２ガイド４４、詳細には第２ガイド４４を構成する第２ガイド板４４２，４４４は、支持軸４６を中心として第１種用紙５２の上面側の上方に向けて回動する。すなわち、第２ガイド４４は、第１種用紙５２が、第１ガイド板４２２，４２４が配置された領域を通過できるように、第１種用紙５２の搬送方向の垂直上面側の上方に退避する。
【００４１】
ここで、第２ガイド板４４２，４４４の回動は、搬送されている第１種用紙５２との接触によって実現される。例えば、第２ガイド板４４２，４４４は、給紙ローラ２０によって搬送される用紙５０の搬送方向の先頭部に対向する部分が傾斜、例えば図３のＮ部のような円弧状に傾斜している。第２ガイド板４４２，４４４の対向する面間の幅Ｗ２’より幅広の第１種用紙５２が搬送されると、第１種用紙５２の先頭部が第２ガイド板４４２，４４４のＮ部に接触する。第１種用紙５２は、この円弧形状に沿ってさらに搬送方向に搬送される。第２ガイド板４４２，４４４のＮ部が円弧形状であるため、第１種用紙５２と第２ガイド板４４２，４４４との接触により、第２ガイド板４４２，４４４には、搬送方向と、搬送方向の垂直上方の方向とに力が加わることになる。このように、第２ガイド板４４２，４４４へ、搬送方向の垂直上方の方向に力が加わることで、図３に示すように、第２ガイド板４４２，４４４は、搬送方向の垂直上方の方向へ退避される。第２ガイド板４４２，４４４は、第１種用紙５２に押し上げられて、支持軸４６を中心として第１種用紙５２の上面側の上方に向け、図４の状態から図３のように回動する。なお、図５の第２ガイド板４４２，４４４の付近に示す円弧状の矢印は、退避する場合の回動方向を示すものである。
【００４２】
図３に示す状態において第１ガイド４２は、上述したとおり、第１種用紙５２の幅Ｗ１方向の両側辺をガイドする。これによって、搬送される第１種用紙５２が搬送方向に対して斜行することを、引き続き防止することができる。第１種用紙５２が、第１ガイド４２および第２ガイド４４が配置されている領域を通過したとき、第１種用紙５２の上面側の上方に退避していた第２ガイド４４は、図４の状態に復帰する。すなわち、第２ガイド板４４２，４４４は、支持軸４６を中心として、退避する場合と反対方向に回動する。これは、第１種用紙５２が搬送されることにより、第２ガイド板４４２、４４４に加わる力がなくなるためであり、第２ガイド板４４２，４４４の自重により、図４に示す位置に、第２ガイド板４４２，４４４は配置される。
【００４３】
さらに、第３ガイド板１３２，１３４が第３種用紙５６の幅Ｗ３にセットされ、第３種用紙５６が第３ガイド１３にガイドされた状態で給紙トレイ１２に収容されているとする。この状態で、分離ローラ１４と分離片１６とによって一枚の第３種用紙５６が分離されると、一枚の第３種用紙５６は、その両側辺が第３ガイド１３によってガイドされた状態で、搬送方向に対して斜行することなく、給紙ローラ２０側に搬送される。このとき、第１ガイド板４２２，４２４と第２ガイド板４４２，４４４とは、図５に示す状態となる。なお、図５は、搬送路４０における第１搬送路面７０を一つの面とする第１壁７４を透過させた状態で図示している。第３種用紙５６の幅Ｗ３の範囲内に配置されている第１ガイド４２および第２ガイド４４、詳細には第１ガイド板４２２，４２４と、第２ガイド板４４２，４４４とは、支持軸４６を中心として第３種用紙５６の上面側の上方に向けて回動する。すなわち、第１ガイド４２および第２ガイド４４は、第３種用紙５６が、第１ガイド板４２２，４２４と第２ガイド板４４２，４４４とが配置された領域を通過できるように、第３種用紙５６の搬送方向の垂直上面側の上方に退避する。
【００４４】
ここで、第１ガイド板４２２，４２４と第２ガイド板４４２，４４４との回動は、搬送されている第３種用紙５６との接触によって実現される。第１ガイド板４２２，４２４は、給紙ローラ２０によって搬送される用紙５０の搬送方向の先頭部に対向する部分が、第２ガイド板４４２，４４４と同様に傾斜、例えば図５のＰ部のような円弧状に傾斜している。第１ガイド板４２２，４２４の対向する面間の幅Ｗ１’より幅広の第３種用紙５６が搬送されると、第３種用紙５６の先頭部が、第１ガイド板４２２，４２４のＰ部と、第２ガイド板４４２，４４４のＮ部とに接触する。第３種用紙５６は、これら円弧形状に沿ってさらに搬送方向に搬送される。第１ガイド板４２２，４２４のＰ部が円弧上であるため、第３種用紙５６と、第１ガイド板４２２，４２４との接触により、第１ガイド板４２２，４２４には、搬送方向と、搬送方向の垂直上方の方向とに力が加わることになる。同様に、第２ガイド板４４２，４４４のＮ部が円弧形状であるため、第３種用紙５６と第２ガイド板４４２，４４４との接触により、第２ガイド板４４２，４４４には、搬送方向と、搬送方向の垂直上方の方向とに力が加わることになる。このように、第１ガイド板４２２，４２４および第２ガイド板４４２，４４４へ、搬送方向の垂直上方の方向に力が加わることで、図５に示すように、第１ガイド板４２２，４２４および第２ガイド板４４２，４４４は、搬送方向の垂直上方の方向へ退避される。つまり、第１ガイド板４２２，４２４と第２ガイド板４４２，４４４とは、第３種用紙５６に押し上げられて、支持軸４６を中心として第３種用紙５６の搬送方向の垂直上面側の上方に向け、図４の状態から図５のように回動する。なお、図５の第１ガイド板４２２，４２４と第２ガイド板４４２，４４４の付近に示す円弧状の矢印は、退避する場合の回動方向を示すものである。
【００４５】
第３種用紙５６が、第１ガイド４２および第２ガイド４４が配置されている領域を通過したとき、第３種用紙５６の上面側の上方に退避していた第１ガイド４２と第２ガイド４４とは、図４の状態に復帰する。すなわち、第１ガイド板４２２，４２４および第２ガイド板４４２，４４４の自重により、第１ガイド板４２２，４２４および第２ガイド板４４２，４４４は、退避する場合と反対方向に回動する。これは、第３種用紙５６が搬送されることにより、第１ガイド板４２２，４２４および第２ガイド板４４２，４４４に加わる力がなくなるためである。上述した作用により、図４に示す位置に、第１ガイド板４２２，４２４および第２ガイド板４４２，４４４は配置される。スキャナ装置１０は、第１ガイド４２と第２ガイド４４とが配置されている位置に、この位置を通過する第３種用紙５６の両側辺をガイドするガイド機構を備える。なお、第３種用紙５６の両側辺をガイドするガイド機構については、図示を省略している。この図示されていないガイド機構によって、搬送される第３種用紙５６が搬送方向に対して斜行することを、引き続き防止することができる。
【００４６】
図２に示す検出センサ４８は、第１ガイド４２および第２ガイド４４の退避を検出する。具体的には、検出センサ４８は、公知のフォトインタラプタまたはフォトセンサである。検出センサ４８は、第１ガイド板４２２，４２４の搬送方向の垂直上面側の位置にそれぞれ配置される。具体的には、第１ガイド板４２２，４２４が、図５に示す退避位置に移動されたとき、第１ガイド板４２２，４２４のＰ部を検出できる垂直上面側の位置に、検出センサ４８は配置される。本実施形態では、第１ガイド板４２２，４２４それぞれに対応して、検出センサ４８は配置されるが、第１ガイド板４２２、または、第１ガイド板４２４のいずれか一方の垂直上面側に配置されればよい。これは、第１ガイド板４２２，４２４が、支持軸４６を介して共に回動するためである。第１ガイド板４２２，４２４のいずれか一方が退避位置に移動されたことが検出されれば、第１ガイド板４２２，４２４の両方が退避位置に移動されたことになるためである。また検出センサ４８は、第２ガイド板４４２，４４４の搬送方向の垂直上面側の位置にそれぞれ配置される。具体的には、第２ガイド板４４２，４４４が、図５に示す退避位置に移動されたとき、第２ガイド板４４２，４４４のＮ部を検出できる垂直上面側の位置に、検出センサ４８は配置される。本実施形態では、第２ガイド板４４２，４４４それぞれに対応して、検出センサ４８は配置されるが、第２ガイド板４４２、または、第２ガイド板４４４のいずれか一方の垂直上面側に配置されればよい。これは、第２ガイド板４４２，４４４が、支持軸４６を介して共に回動するためである。第２ガイド板４４２，４４４のいずれか一方が退避位置に移動されたことが検出されれば、第２ガイド板４４２，４４４の両方が退避位置に移動されたことになるためである。
【００４７】
検出センサ４８は、第１ガイド４２が退避状態になく、第２ガイド４４が退避状態であること、すなわち図３のような状態を検出したとき、第１種用紙５２の搬送を検出する。また、検出センサ４８は、第１ガイド４２と第２ガイド４４とが退避状態であること、すなわち図５の状態を検出したとき、第３種用紙５６の搬送を検出する。なお、給紙ローラ２０などが回転している状態で、検出センサ４８によって、第１ガイド４２と第２ガイド４４とが検出されない、すなわち図４のような状態であるとき、第２種用紙５４が搬送されていると判断することができる。検出されていた第１ガイド４２および／または第２ガイド４４が検出されなくなった場合、搬送されていた用紙５０が通過したと判断することができる。なお、本実施形態では、検出センサ４８として、公知のフォトインタラプタまたはフォトセンサが用いられていたが、これに限定されるものではない。第１ガイド板４２２，４２４のＰ部が、退避位置に移動して、検出センサ４８に近接したことを判別可能なセンサであれば特に限定されない。また、第２ガイド板４４２，４４４のＮ部が、退避位置に移動して、検出センサ４８に近接したことを判別可能なセンサであれば特に限定されない。
【００４８】
以上、本実施形態の構成によれば、搬送される各種の幅の用紙５０を幅方向においてガイドするための機構を、第１ガイド板４２２，４２４による第１ガイド４２と、第２ガイド板４４２，４４４による第２ガイド４４と、支持軸４６とによって構成することができる。スキャナ装置１０において、画像処理部２２，２４を構成するＣＩＳセンサは、焦点距離が短く、スキャン処理の対象となる用紙５０の記録面に近接して設置させる必要がある。この場合、例えば、上述した特許文献１のような機構では、近接した状態を確保したまま、画像処理部２２，２４の近辺に、ガイドのための機構を配置するスペースを確保することが困難である。また、従来の第３ガイド板１３２，１３４は、分離ローラ１４が配置される位置までは、ガイドすることができる。しかし、搬送路４０において、分離ローラ１４が配置される以降の位置では、搬送路４０の隙間が狭く、第３ガイド板１３２，１３４では、斜行を防止することができなかった。本実施形態の搬送される用紙５０を幅方向においてガイドする機構によれば、この機構を少ない部品点数でコンパクトにすることができる。そのため、ＣＩＳセンサによる画像処理部２２，２４と、用紙５０の上面および下面との近接状態を阻害することなく、この機構を、給紙ローラ２０と画像処理部２２，２４との間に配置することができる。この構成により、画像処理部２２，２４に近接した位置で用紙５０が斜行するのを防止することができるため、スキャン処理によって形成される画像データを好適なものとすることができる。
【００４９】
＜変形例＞
本実施形態の構成は、次のようにすることもできる。すなわち、上記では、画像処理装置として、スキャナ装置１０を例に説明した。第１ガイド４２と第２ガイド４４と支持軸４６とによる、搬送される用紙５０を幅方向においてガイドする機構は、この他、コピー機、プリンタまたはファクシミリ装置に適用することもできる。この場合、画像処理装置が有する画像処理部は、所定の画像を記録する記録部となる。例えば、記録部がインクジェット方式のものである場合、記録ヘッドと用紙５０とは、近接して配置される。本実施形態の構成によれば、用紙５０を幅方向においてガイドする機構を、給紙ローラ２０と記録部との間に配置することができる。また、紙幣を画像処理し、投入された紙幣による金額を特定することができる現金自動預け払い機（ATM，Automated Teller Machine）に適用することもできる。この場合、本実施形態の構成は、搬送される紙幣をガイドする。また、搬送される用紙５０を幅方向においてガイドする機構は、上記とは異なる位置に配置してもよい。
【００５０】
さらに、搬送される用紙５０を幅方向においてガイドする機構は、例えば、図６（ａ），（ｂ）のようにしてもよい。なお、図６（ａ），（ｂ）に示す構成は、第１ガイド４２を構成する第１ガイド板４２２，４２４と、第２ガイド４４を構成する第２ガイド板４４２，４４４とのいずれにおいても採用することができる。したがって、以下では、一部を除き、第１ガイド板４２２，４２４と第２ガイド板４４２，４４４とを区別することなく説明する。また、上記と同一の構成については、その説明を省略するとともに、同一の符号を用いる。
【００５１】
搬送される用紙５０をガイドするガイド板４５０は、第１ガイド板４２２などと同様にＬ字状の形状を有する。ガイド板４５０には、Ｌ字形状の一端部に支持軸４６が挿入される貫通孔が形成されている。ガイド板４５０は、貫通孔に支持軸４６が挿入された状態で支持軸４６に支持される。ガイド板４５０は、給紙ローラ２０によって搬送される用紙５０の搬送方向の先頭部に対向する部分が傾斜、例えば図６（ａ），（ｂ）に示すＱ部のような円弧状に傾斜している。支持軸４６は、搬送される用紙５０の搬送方向の垂直下面側であって、第２壁７６の第２搬送路面７２と反対側の面側に設置されている。支持軸４６にガイド板４５０が支持された状態で、ガイド板４５０は支持軸４６を中心として回動することができる。なお、図６（ｂ）のガイド板４５０の辺部４５４の付近に示す円弧状の矢印は、退避する場合の回動方向を示すものである。
【００５２】
バランス部４５２は所定の質量を有する。バランス部４５２は、ガイド板４５０に、搬送される用紙５０との接触にともなう搬送方向の垂直下方の方向に力が作用していない状態において、ガイド板４５０の状態が図６（ａ）の状態で維持されるように、Ｌ字形状を形成するガイド板４５０の一辺で、所定の質量の辺部４５４との間で釣り合いをとる。具体的に、ガイド板４５０には、支持軸４６を支点として、バランス部４５２によるモーメント力が働く。バランス部４５２の質量により、支持軸４６を支点として、搬送方向の垂直下面側に力が加わる。この結果、支持軸４６を支点とする方向に、図６において反時計回りのモーメント力が働く。また、ガイド板４５０には、支持軸４６を支点として、ガイド板４５０の辺部４５４によるモーメント力が働く。辺部４５４の質量により、支持軸４６を支点として、搬送方向の垂直下面側に力が加わる。この結果、支持軸４６を支点として、ガイド板４５０の辺部４５４により、図６において時計周りのモーメント力が働く。支持軸４６を支点としてガイド板４５０に働くこれらモーメント力は、互いに反対方向に働き、釣り合いがとれた位置で、ガイド板４５０は静止する。
【００５３】
図６（ａ）に示す状態において、用紙５０が搬送されてくると、用紙５０の先端部がガイド板４５０のＱ部に接触する。用紙５０は、この円弧形状に沿ってさらに搬送方向に搬送される。ガイド板４５０のＱ部が円弧上であるため、用紙５０と、ガイド板４５０との接触により、ガイド板４５０には、搬送方向と、搬送方向の垂直下方の方向とに力が加わることになる。このように、ガイド板４５０へ、搬送方向の垂直下方の方向に力が加わることで、ガイド板４５０は、搬送方向の垂直下方の方向へ退避される。つまり、ガイド板４５０は、用紙５０に押し下げられて、支持軸４６を中心として用紙５０の搬送方向の垂直下面側の下方に向けて回動する。すなわち、ガイド板４５０は、用紙５０が、ガイド板４５０が配置された領域を通過できるように、用紙５０の下面側の下方に退避する。図６（ｂ）の状態に退避したガイド板４５０は、検出センサ４８によって検出される。これによって、上記同様、特定の用紙５０の搬送を検出することができる。また、検出されていた状態から検出されない状態となった場合、用紙５０が通過したと判断することができる。
【００５４】
一方、用紙５０が、ガイド板４５０が配置されている領域を通過したとき、用紙５０の下面側の下方に退避していたガイド板４５０は、図６（ａ）の状態に復帰する。すなわち、バランス部４５２によるモーメント力により、ガイド板４５０は、退避する場合と反対方向に回動する。これは、用紙５０が搬送されることにより、ガイド板４５０に加わる力がなくなるためである。そして、支持軸４６を支点とした、バランス部４５２によるモーメント力と、これと反対方向の辺部４５４によるモーメント力とが釣り合う図６（ａ）に示す位置に、ガイド板４５０は配置される。
【００５５】
また、ガイド板４５０をさらに変形し、図７に示すような構成としてもよい。図６に示すガイド板４５０では、図６（ａ）に示す状態を維持するためにバランス部４５２を設けた。図７（ａ），（ｂ）に示すガイド板４７０では、バランス部４５２を省略し、これに代えて、コイルばねなどによるガイド付勢部４７２が、搬送される用紙５０の下面側の下方に設けられている。
【００５６】
ガイド板４７０は、ガイド板４５０と同様にＬ字状の形状を有する。ガイド板４７０には、Ｌ字形状の一端部に支持軸４６が挿入される貫通孔が形成されている。ガイド板４７０は、貫通孔に支持軸４６が挿入された状態で支持軸４６に支持される。ガイド板４７０は、給紙ローラ２０によって搬送される用紙５０の搬送方向の先頭部に対向する部分が傾斜、例えば図７（ａ），（ｂ）に示すＲ部のような円弧状に傾斜している。支持軸４６は、搬送される用紙５０の下面側であって、第２壁７６の第２搬送路面７２と反対側の面側に設置されている。支持軸４６にガイド板４７０が支持された状態で、ガイド板４７０は支持軸４６を中心として回動することができる。なお、図７（ｂ）において辺部４７４の付近に示す円弧状の矢印は、退避する場合の回動方向を示すものである。ガイド付勢部４７２は、Ｌ字形状を形成するガイド板４７０の一辺である辺部４７４を、搬送方向の垂直上方の方向に付勢する。ガイド付勢部４７２は、コイルばねなどによって構成される。
【００５７】
ガイド板４７０は、ガイド板４７０に、搬送される用紙５０との接触にともなう搬送方向の垂直下方の方向に力が作用していない状態では、ガイド付勢部４７２によって付勢または支持され、図７（ａ）に示す状態に維持される。ガイド板４７０は、ガイド付勢部４７２により、搬送方向の垂直上方に付勢される。図７（ａ）に示す状態において、用紙５０が搬送されてくると、用紙５０の先端部がガイド板４７０のＲ部に接触する。用紙５０は、この円弧形状に沿ってさらに搬送方向に搬送される。ガイド板４７０のＲ部が円弧上であるため、用紙５０と、ガイド板４７０との接触により、ガイド板４７０には、搬送方向と、搬送方向の垂直下方の方向とに力が加わることになる。このように、ガイド板４７０へ、搬送方向の垂直下方の方向に力が加わることでガイド付勢部４７２が圧縮され、ガイド板４７０は、搬送方向の垂直下方の方向へ退避される。つまり、ガイド板４７０は、ガイド付勢部４７２による付勢力に抗して、用紙５０に押し下げられる。そして、支持軸４６を中心として用紙５０の搬送方向の垂直下面側の下方に向けて回動する。すなわち、ガイド板４７０は、用紙５０が、ガイド板４７０が配置された領域を通過できるように、用紙５０の下面側の下方に退避する。図７（ｂ）の状態に退避したガイド板４７０は、検出センサ４８によって検出される。これによって、上記同様、特定の用紙５０の搬送を検出することができる。また、検出されていた状態から検出されない状態となった場合、用紙５０が通過したと判断することができる。
【００５８】
一方、用紙５０が、ガイド板４７０が配置されている領域を通過したとき、用紙５０の下面側の下方に退避していたガイド板４７０は、図７（ａ）の状態に復帰する。すなわち、ガイド付勢部４７２による付勢力により、ガイド板４７０は、退避する場合と反対方向に回動する。これは、用紙５０が搬送されることにより、ガイド板４７０に加わる力がなくなるためである。そして、ガイド付勢部４７２による付勢力により、図７（ａ）に示す位置に、ガイド板４７０は配置される。
【００５９】
さらに、図７に示すガイド板４７０およびガイド付勢部４７２を用いた構成は、図８に示すような構成としてもよい。図８に示す構成では、ガイド板４９０を付勢するガイド付勢部４９２は、搬送される用紙５０の上面側であって、第１壁７４の第１搬送路面７０と反対側の面側に設置されている。ガイド板４９０は、直線的な形状を有する。ガイド板４９０は、図８（ａ），（ｂ）には図示されていない所定の構成によって、搬送方向に対して垂直な方向に移動可能に支持されている。ガイド板４９０は、給紙ローラ２０によって搬送される用紙５０の搬送方向の先頭部に対向する部分が傾斜、例えば図８（ａ），（ｂ）に示すＳ部のような円弧状に傾斜している。なお、図８（ｂ）においてガイド付勢部４９２の付近に示す円弧状の矢印は、退避する場合の移動方向を示すものである。ガイド付勢部４９２は、ガイド板４９０を、搬送方向の垂直下方の方向に搬送路４０側に付勢する。ガイド付勢部４９２は、コイルばねなどによって構成される。
【００６０】
ガイド板４９０は、ガイド板４９０に、搬送される用紙５０との接触にともなう搬送方向の垂直上方の方向に力が作用していない状態では、図８（ａ）に示す状態に維持される。図８（ａ）に示す状態において、用紙５０が搬送されてくると、用紙５０の先端部がガイド板４９０のＳ部に接触する。用紙５０は、この円弧形状に沿ってさらに搬送方向に搬送される。ガイド板４９０のＳ部が円弧上であるため、用紙５０と、ガイド板４９０との接触により、ガイド板４９０には、搬送方向と、搬送方向の垂直上方の方向とに力が加わることになる。このように、ガイド板４９０へ、搬送方向の垂直上方の方向に力が加わることでガイド付勢部４９２が圧縮され、ガイド板４９０は、搬送方向の垂直上方の方向へ退避される。つまり、ガイド板４９０は、ガイド付勢部４９２による付勢力に抗して、用紙５０に押し上げられて移動する。すなわち、ガイド板４９０は、用紙５０が、ガイド板４９０が配置された領域を通過できるように、用紙５０の上面側の上方に退避する。図８（ｂ）の状態に退避したガイド板４９０は、検出センサ４８によって検出される。これによって、上記同様、特定の用紙５０の搬送を検出することができる。また、検出されていた状態から検出されない状態となった場合、用紙５０が通過したと判断することができる。
【００６１】
一方、用紙５０が、ガイド板４９０が配置されている領域を通過したとき、用紙５０の上面側の上方に退避していたガイド板４９０は、図８（ａ）の状態に復帰する。すなわち、ガイド付勢部４９２による付勢力により、ガイド板４９０は、退避する場合と反対方向に移動する。これは、用紙５０が搬送されることにより、ガイド板４９０に加わる力がなくなるためである。そして、ガイド付勢部４９２による付勢力により、図８（ａ）に示す位置に、ガイド板４９０は配置される。
【００６２】
よって、図６〜図８に示す構成によっても、本実施形態の場合と同様の機能を発揮し、同等の効果を得ることができる。
【符号の説明】
【００６３】
１０  スキャナ装置
１２  給紙トレイ
２０  給紙ローラ
２２，２４  画像処理部
４０  搬送路
４２  第１ガイド
４２２，４２４  第１ガイド板
４４  第２ガイド
４４２，４４４  第２ガイド板
５０  用紙
５２  第１種用紙
５４  第２種用紙
７０  第１搬送路面
７２  第２搬送路面
【図１】
2011195324.tif 000003
【図２】
2011195324.tif 000004
【図３】
2011195324.tif 000005
【図４】
2011195324.tif 000006
【図５】
2011195324.tif 000007
【図６】
2011195324.tif 000008
【図７】
2011195324.tif 000009
【図８】
2011195324.tif 000010